(57)【要約】【課題】責了紙等による修正指示に基づく修正を確実に行えるとともに、該修正の内容を容易に確認できるレイアウト編集装置を提供する。【解決手段】校正済プルーフをイメージスキャナによってスキャンし、修正指示データを取得する（ステップＳ１）。ＲＩＰ展開データとの間で差分処理を行い、差分データを抽出する（ステップＳ２）。校正前印刷データと差分データとをレイヤー化する（ステップＳ３）。修正対象レイヤーを仮想的に格子状に分割し、複数のブロックを生成する（ステップＳ４）。レイヤー化データと領域分割データとを得たうえで、差分レイヤーに記述された修正指示に従って印刷データを修正する（ステップＳ５）。その際、修正に関係するブロックを関連付けて修正履歴データを記録する。これにより、ブロック単位の修正履歴の確認と再修正、および個々の修正処理単位の修正の採否の選択が可能となる。【選択図】図４
2006065486.tif 000002
【特許請求の範囲】
【請求項１】
表示手段に処理状況を表示させつつ印刷データの編集処理を行う印刷データ編集装置であって、
前記印刷データを生成元として生成され所定の出力装置において出力可能な形式で記述された出力用データと所定の画像読取装置によって得られた読取画像データとの差分データを生成する差分処理手段と、
前記印刷データと前記差分データとがレイヤー構造をなすレイヤー化データを生成するレイヤー化処理手段と、
前記印刷データによって表現される印刷物を仮想的に分割して複数の分割領域を得る領域分割処理手段と、
前記印刷データの内容を変更する編集処理を、前記差分データがなす第１のレイヤーと前記印刷データがなす第２のレイヤーとの重ね合わせ像を前記表示手段に表示させた状態で前記第２のレイヤーを対象として実行させる編集処理手段と、
所定の履歴参照指示に従い、前記編集処理の履歴を前記表示手段に表示させる履歴参照処理手段と、
を備え、
前記編集処理手段は、
前記編集処理における処理単位である単位編集処理ごとの処理内容を、前記複数の分割領域のうち前記処理内容が関連する関連分割領域と関係付けて履歴データとして記録し、
前記履歴参照処理手段は、
任意の履歴参照対象位置の指定に応答し、前記履歴データに基づいて、前記編集処理のうち前記履歴参照対象位置を含む分割領域が前記関連分割領域となる処理内容のみを前記履歴として表示させる、
ことを特徴とする印刷データ編集装置。
【請求項２】
請求項１に記載の印刷データ編集装置であって、
一の分割領域に係る履歴に含まれる特定の単位編集処理の実行を取り消す場合は、前記一の分割領域を前記関連分割領域とする編集処理のうち、前記特定の単位編集処理の以降になされた編集処理が併せて取り消される、
ことを特徴とする印刷データ編集装置。
【請求項３】
請求項１または請求項２に記載の印刷データ編集装置であって、
前記分割領域を得る際の分割数を任意に設定できることを特徴とする印刷データ編集装置。
【請求項４】
請求項１ないし請求項３のいずれかに記載の印刷データ編集装置であって、
前記読取画像データが、前記出力用データに基づいて作成された校正用印刷物を読み取ることによって得られるデータであることを特徴とする印刷データ編集装置。
【請求項５】
請求項１ないし請求項４のいずれかに記載の印刷データ編集装置であって、
前記印刷データをラスタライズ処理することによって前記出力用データを生成する出力データ生成手段、
をさらに備えることを特徴とする印刷データ編集装置。
【請求項６】
印刷システムであって、
a)紙媒体上の画像を光電的に読み取って読取画像データを生成する画像読取装置と、
b)所定のデータ形式にて記述された出力用データに基づく出力を行う出力装置と、
c)表示手段に処理状況を表示させつつ印刷データの編集処理を行う印刷データ編集装置であって、
c-1)前記印刷データを生成元として生成された前記出力用データと前記読取画像データとの差分データを生成する差分処理手段と、
c-2)前記印刷データと前記差分データとがレイヤー構造をなすレイヤー化データを生成するレイヤー化処理手段と、
c-3)前記印刷データによって表現される印刷物を仮想的に分割して複数の分割領域を得る領域分割処理手段と、
c-4)前記印刷データの内容を変更する編集処理を、前記差分データがなす第１のレイヤーと前記印刷データがなす第２のレイヤーとの重ね合わせ像を前記表示手段に表示させた状態で前記第２のレイヤーを対象として実行させる編集処理手段と、
c-5)所定の履歴参照指示に従い、前記編集処理の履歴を前記表示手段に表示させる履歴参照処理手段と、
を備える印刷データ編集装置と、
を備え、
前記編集処理手段は、
前記編集処理における処理単位である単位編集処理ごとの処理内容を、前記複数の分割領域のうち前記処理内容が関連する関連分割領域と関係付けて履歴データとして記録し、
前記履歴参照処理手段は、
任意の履歴参照対象位置の指定に応答し、前記履歴データに基づいて、前記編集処理のうち前記履歴参照対象位置を含む分割領域が前記関連分割領域となる処理内容のみを前記履歴として表示させる、
ことを特徴とする印刷システム。
【請求項７】
請求項６に記載の印刷システムであって、
一の分割領域に係る履歴に含まれる特定の単位編集処理の実行を取り消す場合は、前記一の分割領域を前記関連分割領域とする編集処理のうち、前記特定の単位編集処理の以降になされた編集処理が併せて取り消される、
ことを特徴とする印刷システム。
【請求項８】
請求項６または請求項７に記載の印刷システムであって、
前記分割領域を得る際の分割数を任意に設定できることを特徴とする印刷システム。
【請求項９】
請求項６ないし請求項８のいずれかに記載の印刷システムであって、
前記読取画像データが、前記出力用データに基づいて作成された校正用印刷物を読み取ることによって得られるデータであることを特徴とする印刷システム。
【請求項１０】
請求項６ないし請求項９のいずれかに記載の印刷システムであって、
前記印刷データ編集装置が、
c-6)前記印刷データをラスタライズ処理することによって前記出力用データを生成する出力データ生成手段、
をさらに備えることを特徴とする印刷システム。
【請求項１１】
表示手段に処理状況を表示させつつ印刷データの編集処理を行う方法であって、
前記印刷データを生成元として生成され所定の出力装置において出力可能な形式で記述された出力用データと所定の画像読取装置によって得られた読取画像データとの差分データを生成する差分処理工程と、
前記印刷データと前記差分データとがレイヤー構造をなすレイヤー化データを生成するレイヤー化処理工程と、
前記印刷データによって表現される印刷物を仮想的に分割して複数の分割領域を得る領域分割処理工程と、
前記印刷データの内容を変更する編集処理を、前記差分データがなす第１のレイヤーと前記印刷データがなす第２のレイヤーとの重ね合わせ像を所定の表示手段に表示させた状態で前記第２のレイヤーを対象として行う編集処理工程と、
所定の履歴参照指示に従い、前記編集処理の履歴を前記表示手段に表示させる履歴参照処理工程と、
を備え、
前記編集処理工程においては、
前記編集処理における処理単位である単位編集処理ごとの処理内容が、前記複数の分割領域のうち前記処理内容が関連する関連分割領域と関係付けて履歴データとして記録され、
前記履歴参照処理工程においては、
任意の履歴参照対象位置の指定に応答し、前記履歴データに基づいて、前記編集処理のうち前記履歴参照対象位置を含む分割領域が前記関連分割領域となる処理内容のみを前記履歴として表示させる、
ことを特徴とする印刷データ編集方法。
【請求項１２】
請求項１１に記載の印刷データ編集方法であって、
一の分割領域に係る履歴に含まれる特定の単位編集処理の実行を取り消す場合は、前記一の分割領域を前記関連分割領域とする編集処理のうち、前記特定の単位編集処理の以降になされた編集処理が併せて取り消される、
ことを特徴とする印刷データ編集方法。
【請求項１３】
請求項１１または請求項１２に記載の印刷データ編集方法であって、
前記領域分割処理工程においては、前記分割領域を得る際の分割数を任意に設定できることを特徴とする印刷データ編集方法。
【請求項１４】
請求項１１ないし請求項１３のいずれかに記載の印刷データ編集方法であって、
前記読取画像データが、前記出力用データに基づいて作成された校正用印刷物を読み取ることによって得られるデータであることを特徴とする印刷データ編集方法。
【請求項１５】
請求項１１ないし請求項１４のいずれかに記載の印刷データ編集方法であって、
前記印刷データをラスタライズ処理することによって前記出力用データを生成する出力データ生成工程、
をさらに備えることを特徴とする印刷データ編集方法。
【請求項１６】
コンピュータで実行されることにより、前記コンピュータを請求項１ないし請求項５のいずれかに記載の印刷データ編集装置として機能させることを特徴とするプログラム。
【発明の詳細な説明】
【技術分野】
【０００１】
本発明は、プルーフに記入された修正指示に基づく修正の実行に好適な印刷データ編集装置に関する。
【背景技術】
【０００２】
印刷業者が、クライアントからの受注に応じて印刷物を作成する場合、本印刷に先立って、校正のための印刷物、いわゆるプルーフを作成し、クライアントによる校正を受けるのが一般的である。係る校正の結果、修正の必要がないと判断されれば、「校了」となって本印刷が行われることになるが、一般には、このように直ちに校了となる場合よりもむしろ、「責了（責任校了）」となる場合が多い。責了とは、修正の必要があるがこれが軽微である場合などに、印刷業者側が責任をもって修正し校了とすることを前提として、クライアントが校了とすることをいう。責了の場合、印刷業者の側で、クライアントからの修正指示が記された責了紙の内容を確認しつつ印刷データを修正し、修正結果の校正を行うことになる。
【０００３】
係る場合の校正や、あるいはプルーフ作成時における校正などの作業支援を目的とする技術は、既に公知である（例えば特許文献１および特許文献２参照。）。
【０００４】
また、修正前後の印刷データを比較して、その差分を表示するデジタル検版装置も公知である（例えば特許文献３および特許文献４参照。）。
【０００５】
【特許文献１】特開平９−６９７５号公報
【特許文献２】特開平９−２３１３９０号公報
【特許文献３】特許２８１６０９１号公報
【特許文献４】特開平８−２０２０１４号公報
【発明の開示】
【発明が解決しようとする課題】
【０００６】
責了時の印刷物の校正においては、クライアントによって指示された修正が全て実行されていること、および、修正の必要のない箇所が誤って修正されていないことが、確実に確認できることが重要である。さらには、修正がこれを満たさない場合に、再度の修正を容易に行えることが好ましいといえる。
【０００７】
特許文献１に係る装置においては、初校時のレイアウトデータと、修正後の（再校時の）レイアウトデータとの差分データを生成させることが可能であるが、装置上で該差分データと校了紙の内容との比較や、あるいは校了紙に基づく修正を行うことはできない。
【０００８】
特許文献２に開示された装置によれば、初校時のレイアウト画像と修正すべき箇所とをディスプレイ上に重ね合わせて表示させ、その表示内容に基づく修正を行うことは可能であるが、その修正が正しくなされたか否かを該装置において直接に確認することはできない。
【０００９】
特許文献３に係る装置においては、初校時のレイアウト画像と、修正後の（再校時の）レイアウト画像との差分画像とこれに基づく修正指示を、ディスプレイ上に表示させることが可能であるが、修正そのものを行うことはできない。
【００１０】
特許文献４に係る装置においては、初校時のレイアウト画像と、修正後の（再校時の）レイアウト画像と、あるいはこれらの差分画像とを、単独であるいは重ね合わせてディスプレイ上に表示させることが可能であるが、その表示内容に基づく修正を行うことはできない。
【００１１】
本発明は、上記課題に鑑みてなされたものであり、責了紙等による修正指示に基づく修正を確実に行えるとともに、該修正の内容を容易に確認できる印刷データ編集装置を提供することを目的とする。
【課題を解決するための手段】
【００１２】
上記課題を解決するため、請求項１の発明は、表示手段に処理状況を表示させつつ印刷データの編集処理を行う印刷データ編集装置であって、前記印刷データを生成元として生成され所定の出力装置において出力可能な形式で記述された出力用データと所定の画像読取装置によって得られた読取画像データとの差分データを生成する差分処理手段と、前記印刷データと前記差分データとがレイヤー構造をなすレイヤー化データを生成するレイヤー化処理手段と、前記印刷データによって表現される印刷物を仮想的に分割して複数の分割領域を得る領域分割処理手段と、前記印刷データの内容を変更する編集処理を、前記差分データがなす第１のレイヤーと前記印刷データがなす第２のレイヤーとの重ね合わせ像を前記表示手段に表示させた状態で前記第２のレイヤーを対象として実行させる編集処理手段と、所定の履歴参照指示に従い、前記編集処理の履歴を前記表示手段に表示させる履歴参照処理手段と、を備え、前記編集処理手段は、前記編集処理における処理単位である単位編集処理ごとの処理内容を、前記複数の分割領域のうち前記処理内容が関連する関連分割領域と関係付けて履歴データとして記録し、前記履歴参照処理手段は、任意の履歴参照対象位置の指定に応答し、前記履歴データに基づいて、前記編集処理のうち前記履歴参照対象位置を含む分割領域が前記関連分割領域となる処理内容のみを前記履歴として表示させる、ことを特徴とする。
【００１３】
また、請求項２の発明は、請求項１に記載の印刷データ編集装置であって、一の分割領域に係る履歴に含まれる特定の単位編集処理の実行を取り消す場合は、前記一の分割領域を前記関連分割領域とする編集処理のうち、前記特定の単位編集処理の以降になされた編集処理が併せて取り消される、ことを特徴とする。
【００１４】
また、請求項３の発明は、請求項１または請求項２に記載の印刷データ編集装置であって、前記分割領域を得る際の分割数を任意に設定できることを特徴とする。
【００１５】
また、請求項４の発明は、請求項１ないし請求項３のいずれかに記載の印刷データ編集装置であって、前記読取画像データが、前記出力用データに基づいて作成された校正用印刷物を読み取ることによって得られるデータであることを特徴とする。
【００１６】
また、請求項５の発明は、請求項１ないし請求項４のいずれかに記載の印刷データ編集装置であって、前記印刷データをラスタライズ処理することによって前記出力用データを生成する出力データ生成手段、をさらに備えることを特徴とする。
【００１７】
また、請求項６の発明は、印刷システムであって、a)紙媒体上の画像を光電的に読み取って読取画像データを生成する画像読取装置と、b)所定のデータ形式にて記述された出力用データに基づく出力を行う出力装置と、c)表示手段に処理状況を表示させつつ印刷データの編集処理を行う印刷データ編集装置であって、c-1)前記印刷データを生成元として生成された前記出力用データと前記読取画像データとの差分データを生成する差分処理手段と、c-2)前記印刷データと前記差分データとがレイヤー構造をなすレイヤー化データを生成するレイヤー化処理手段と、c-3)前記印刷データによって表現される印刷物を仮想的に分割して複数の分割領域を得る領域分割処理手段と、c-4)前記印刷データの内容を変更する編集処理を、前記差分データがなす第１のレイヤーと前記印刷データがなす第２のレイヤーとの重ね合わせ像を前記表示手段に表示させた状態で前記第２のレイヤーを対象として実行させる編集処理手段と、c-5)所定の履歴参照指示に従い、前記編集処理の履歴を前記表示手段に表示させる履歴参照処理手段と、を備える印刷データ編集装置と、を備え、前記編集処理手段は、前記編集処理における処理単位である単位編集処理ごとの処理内容を、前記複数の分割領域のうち前記処理内容が関連する関連分割領域と関係付けて履歴データとして記録し、前記履歴参照処理手段は、任意の履歴参照対象位置の指定に応答し、前記履歴データに基づいて、前記編集処理のうち前記履歴参照対象位置を含む分割領域が前記関連分割領域となる処理内容のみを前記履歴として表示させる、ことを特徴とする。
【００１８】
また、請求項７の発明は、請求項６に記載の印刷システムであって、一の分割領域に係る履歴に含まれる特定の単位編集処理の実行を取り消す場合は、前記一の分割領域を前記関連分割領域とする編集処理のうち、前記特定の単位編集処理の以降になされた編集処理が併せて取り消される、ことを特徴とする。
【００１９】
また、請求項８の発明は、請求項６または請求項７に記載の印刷システムであって、前記分割領域を得る際の分割数を任意に設定できることを特徴とする。
【００２０】
また、請求項９の発明は、請求項６ないし請求項８のいずれかに記載の印刷システムであって、前記読取画像データが、前記出力用データに基づいて作成された校正用印刷物を読み取ることによって得られるデータであることを特徴とする。
【００２１】
また、請求項１０の発明は、請求項６ないし請求項９のいずれかに記載の印刷システムであって、前記印刷データ編集装置が、c-6)前記印刷データをラスタライズ処理することによって前記出力用データを生成する出力データ生成手段、をさらに備えることを特徴とする。
【００２２】
また、請求項１１の発明は、表示手段に処理状況を表示させつつ印刷データの編集処理を行う方法であって、前記印刷データを生成元として生成され所定の出力装置において出力可能な形式で記述された出力用データと所定の画像読取装置によって得られた読取画像データとの差分データを生成する差分処理工程と、前記印刷データと前記差分データとがレイヤー構造をなすレイヤー化データを生成するレイヤー化処理工程と、前記印刷データによって表現される印刷物を仮想的に分割して複数の分割領域を得る領域分割処理工程と、前記印刷データの内容を変更する編集処理を、前記差分データがなす第１のレイヤーと前記印刷データがなす第２のレイヤーとの重ね合わせ像を所定の表示手段に表示させた状態で前記第２のレイヤーを対象として行う編集処理工程と、所定の履歴参照指示に従い、前記編集処理の履歴を前記表示手段に表示させる履歴参照処理工程と、を備え、前記編集処理工程においては、前記編集処理における処理単位である単位編集処理ごとの処理内容が、前記複数の分割領域のうち前記処理内容が関連する関連分割領域と関係付けて履歴データとして記録され、前記履歴参照処理工程においては、任意の履歴参照対象位置の指定に応答し、前記履歴データに基づいて、前記編集処理のうち前記履歴参照対象位置を含む分割領域が前記関連分割領域となる処理内容のみを前記履歴として表示させる、ことを特徴とする。
【００２３】
また、請求項１２の発明は、請求項１１に記載の印刷データ編集方法であって、一の分割領域に係る履歴に含まれる特定の単位編集処理の実行を取り消す場合は、前記一の分割領域を前記関連分割領域とする編集処理のうち、前記特定の単位編集処理の以降になされた編集処理が併せて取り消される、ことを特徴とする。
【００２４】
また、請求項１３の発明は、請求項１１または請求項１２に記載の印刷データ編集方法であって、前記領域分割処理工程においては、前記分割領域を得る際の分割数を任意に設定できることを特徴とする。
【００２５】
また、請求項１４の発明は、請求項１１ないし請求項１３のいずれかに記載の印刷データ編集方法であって、前記読取画像データが、前記出力用データに基づいて作成された校正用印刷物を読み取ることによって得られるデータであることを特徴とする。
【００２６】
また、請求項１５の発明は、請求項１１ないし請求項１４のいずれかに記載の印刷データ編集方法であって、前記印刷データをラスタライズ処理することによって前記出力用データを生成する出力データ生成工程、をさらに備えることを特徴とする。
【００２７】
また、請求項１６の発明は、コンピュータで実行されることにより、前記コンピュータを請求項１ないし請求項５のいずれかに記載の印刷データ編集装置として機能させることを特徴とする。
【発明の効果】
【００２８】
請求項１ないし請求項１６の発明によれば、第１のレイヤーと第２のレイヤーを重ね合わせ表示した状態で、任意の箇所を履歴参照対象位置として指定すると、その箇所（を含む分割領域）についてなされた編集処理のみの履歴が表示されるので、その箇所についての第１のレイヤーの記述内容と、該履歴とを直接に対比することができ、その結果に応じて、第２のレイヤーを構成する印刷データに対し必要な編集処理をさらに加えることができる。
【００２９】
特に、請求項２、請求項７、および請求項１２の発明によれば、単位編集処理を単位として編集処理が管理されるとともに、任意の箇所における編集処理の履歴が参照可能とされているので、特定の箇所においてなされた特定の単位編集処理を選択することで、その箇所において以降になされた編集処理のみを選択的に取り消すことを容易に行うことができる。その際には、係る編集処理に関係がない箇所の処理内容を処理の先後に関係なく維持することができる。
【００３０】
特に、請求項３、請求項８、および請求項１３の発明によれば、編集処理の履歴を参照する際の参照単位となる分割領域の大きさを、印刷データによって得られる印刷物の内容に適したものとすることができ、履歴の参照を編集処理に際してより実効的なものとすることができる。
【００３１】
特に、請求項４、請求項９、および請求項１４の発明によれば、校正に際し校正用印刷物に記入された修正内容が差分データとして得られ、該修正内容と印刷データとを重ね合わせた状態で印刷データの修正を行うことができる。また、特定の箇所の修正内容を選択的に確認することができるので、校正時に指示された修正が全て実行されていること、および、修正の必要のない箇所が誤って修正されていないことが、確実に確認できる。よって、校正時の修正指示を確実にかつ忠実に反映させて、校正後の（再校の）印刷データの作成を行うことができる。
【発明を実施するための最良の形態】
【００３２】
＜システム構成＞
図１は、本発明の実施の形態に係る印刷データ編集装置１を含む印刷システム１００の構成を例示的に示す模式図である。印刷システム１００は、印刷データの作成から、校正、出力までの一連のワークフローを担うシステムである。印刷システム１００は、印刷データ編集装置１と、印刷データ作成装置２と、イメージスキャナ３と、出力装置４とを主として備える。なお、図１においては、印刷データ編集装置１と印刷データ作成装置２とが、例えばＬＡＮ（Local Area Network）などのネットワークＮを介して互いに電気的に接続されており、かつイメージスキャナ３と出力装置４とが通信線ＣＬを解して印刷データ編集装置１と電気的に接続されている態様を示しているが、これは必須の態様ではない。これに代わり、イメージスキャナ３と出力装置４についても、ネットワークＮに接続されていてもよい。また、各装置が独立に存在し、所定の記録媒体を用いることによって、各装置間におけるデータの授受がなされる態様であってもよい。
【００３３】
印刷データ編集装置１は、印刷データ作成装置２において作成された印刷データに基づいて得られる印刷物の校正に用いるプルーフ（校正用印刷物）の出力を、出力装置４に行わせる装置であると共に、該校正の結果に基づいてオペレータが印刷データの修正を行える装置である。印刷データ編集装置１の詳細については後述する。
【００３４】
印刷データ作成装置２は、印刷物における文字組版や画像配置等のレイアウト処理を行い、印刷データの作成を担う装置である。印刷データ作成装置２は、例えば、所定のレイアウトソフトウェアが読み込まれることにより係るレイアウト処理が実行可能とされたコンピュータによって実現される。
【００３５】
印刷データ作成装置２によって作成された印刷データは、印刷データ編集装置１に受け渡され、必要であれば後述のようにＲＩＰ処理（ラスタライズ処理）されるなどしたうえで、プルーフの出力など、後段のワークフローに供される。なお、図１においては、３つの印刷データ作成装置２がネットワークＮを介して印刷データ編集装置１に接続される態様を示しているが、これはあくまで例示であり、１つ、２つ、あるいは４つ以上の印刷データ作成装置２が接続される態様であってもよい。また、印刷データ作成装置２がＲＩＰ処理機能を備え、ＲＩＰ処理済のＲＩＰ展開データが印刷データ作成装置２から印刷データ編集装置１へと受け渡される態様であってもよい。
【００３６】
イメージスキャナ３は、紙媒体上の像を光電的に読み取って電子データ（画像データ）化する画像走査読取装置である。本実施の形態においては、主として、いったん出力された後、校正者（クライアントなど）によって校正記号等の修正指示が記入されたプルーフ（あるいは責了紙）の像を読み取って、読取画像データ（修正指示データ）を得るために用いる。イメージスキャナ３としては、必要な解像度の条件を満たすことを条件に、公知のスキャナを用いることができる。
【００３７】
出力装置４は、所定のデータ形式の印刷データに基づいて、印刷物の出力を行う装置である。本実施の形態における出力装置４は、少なくともプルーフとしての使用に適う印刷物の出力を行えるものであれば、その種類は限定されず、印刷物の内容や校正の目的に応じて適宜に選択され、用いられてよい。例えば、インクジェットプリンタや熱転写プリンタ、あるいはレーザプリンタを用いる態様であっても良いし、実際に印刷物に近い網点化画像の出力が可能なハイエンドＤＤＣＰ（Direct Digital Color Proofer）を用いる態様であってもよい。プルーフの出力に使用される出力装置４において出力処理可能なデータ形式のデータが、プルーフ出力用のデータとして印刷データ編集装置１から出力装置４に与えられることになる。出力装置４に対しては、通常、ＲＩＰ処理により得られるＲＩＰ展開データが出力用のデータとして供されるが、出力装置４がＲＩＰ処理機能を有する場合であれば、ＲＩＰ処理前の印刷データをそのまま出力処理に供することも可能である。なお、出力装置４としては、デジタルデータを用いて直接にプルーフの出力が行えるものが好ましいが、イメージセッタによっていったんフィルムを作成し、これを用いてケミカルプルーフやプルーフの出力を行う態様であってもよい。ただし、係る場合は、イメージセッタを含めて出力装置４と称することになる。また、本印刷用の高解像度の網点化画像を出力する出力装置が用いられてもよい。
【００３８】
＜印刷データ編集装置の構成＞
印刷データ編集装置１は、コンピュータによって実現されるものである。すなわち、印刷データ編集装置１には、図１に示すように、オペレータが各種の指示を入力するためのマウスやキーボードなどからなる操作部１１と、ディスプレイ等の表示部１２と、ハードディスクなどにより構成され、該コンピュータを印刷データ編集装置１として機能させるためのプログラム１３ｐなどを保存するための記憶部１３と、ＤＶＤ−ＲＡＭ／ＲＷ、ＣＤ−ＲＷなど種々の可搬性の記録媒体との間でデータのリード／ライトを行うメディアリーダ／ライタなどからなるＲ／Ｗ部１４と、ネットワークＮ上の他の装置との間や、通信線CLを介しイメージスキャナ３や出力装置４との間でデータの受け渡しを行うためのインターフェースとしての通信部１５と、ＣＰＵ１６ａ、ＲＯＭ１６ｂ、およびＲＡＭ１６ｃから構成され、後述する各機能を実現する制御部１６とが主として備わっている。
【００３９】
なお、印刷データ編集装置１においては、操作部１１を通じた操作内容や、種々の処理についての処理状況などを表示部１２にて表示させつつ処理を行うことができる、いわゆるＧＵＩ（Graphical User Interface）が、制御部１６、操作部１１、表示部１２の機能により実現されている。制御部１６に実現される後述する各部における処理も、このＧＵＩを用いて行われる。
【００４０】
図２は、印刷データ編集装置１の制御部１６において実現される機能を説明するための図である。制御部１６においては、記憶部１３に記憶されている所定のプログラム１３ｐが、ＣＰＵ１６ａ、ＲＯＭ１６ｂ、およびＲＡＭ１６ｃによって実行されることにより、入力処理部２１と、ＲＩＰ処理部２２と、出力処理部２３と、修正処理部２４とが主として実現される。
【００４１】
入力処理部２１は、外部から印刷データ編集装置１へのデータの入力、およびイメージスキャナ３からの画像データの取得に係る処理を担う。入力処理部２１は、データ入力部２１とスキャナ制御部２１２とを主として備える。
【００４２】
データ入力部２１１は、印刷データ編集装置１の外部からネットワークＮ経由でデータ入力を受ける際や、所定の記録媒体に記録されているデータをＲ／Ｗ部１４において読み込む際、さらにはイメージスキャナ３から画像データを取得する際の、処理ダイアログあるいは処理メニューの生成や、操作部１１を介したオペレータからの操作指示に従った所定の処理を担う。
【００４３】
スキャナ制御部２１２は、操作部１１を介し、データ入力部２１１の作用によりイメージスキャナ３において画像データ（修正指示データ）を取得する旨の実行指示がオペレータによってなされた場合に、該実行指示に応答して所定の解像度や走査範囲、走査速度などに従ってスキャンを行うよう、イメージスキャナ３の動作を制御する。
【００４４】
ＲＩＰ処理部２２は、上述のように、印刷データ作成装置２から受け渡された印刷データを、出力装置４において出力処理可能なビットマップ形式のデータに変換するＲＩＰ処理を担う。ＲＩＰ処理においては、出力装置４の出力解像度に応じたＲＩＰ展開データが生成される。通常は、３００〜４００ｄｐｉ程度の出力解像度のＲＩＰ展開データが生成されるが、例えば、出力装置４がハイエンドＤＤＣＰなどの実際の印刷物と同等の網点形成が可能な装置である場合には、ＲＩＰ展開データとして、２４００ｄｐｉ程度の高解像度の網点化画像データが出力される。ＲＩＰ処理には、公知の技術を適用可能である。
【００４５】
なお、上述のように、印刷データ作成装置２においてＲＩＰ処理がなされる態様や、出力装置４においてＲＩＰ処理がなされる態様も考えられるが、以降の説明においては、主として、印刷データ編集装置１において印刷データがＲＩＰ処理されてＲＩＰ展開データが得られ、該ＲＩＰ展開データが出力装置４における出力処理に供される場合を例に説明する。
【００４６】
出力処理部２３は、出力装置４におけるプルーフの出力に必要な処理、あるいは、校正が完了することにより得られる本印刷用の印刷物データを外部に受け渡す処理を担う。出力処理部２３は、データ出力部２３１と、出力装置制御部２３２とを、主として備える。
【００４７】
データ出力部２３１は、印刷データ編集装置１の外部へネットワークＮ経由でデータを出力する際や、Ｒ／Ｗ部１４において所定の記録媒体にデータを書き込む際、さらには出力装置４へ出力用のデータを送信する際の、処理ダイアログあるいは処理メニューの生成や、操作部１１を介したオペレータからの操作指示に従った所定の処理を担う。
【００４８】
出力装置制御部２３２は、操作部１１を介し、データ出力部２３１の作用により出力装置４においてプルーフを出力する旨の実行指示がオペレータによってなされた場合に、該実行指示に応答して、出力装置４の種別に応じて作成された出力用のデータ（例えば、ＲＩＰ展開データ）に基づいてプルーフを出力するよう、出力装置４の動作を制御する。
【００４９】
修正処理部２４は、プルーフに書き込まれた修正指示に従った印刷データの修正を実現するための処理を担う。本実施の形態においては、後述するように、プルーフに書き込まれた修正指示をイメージスキャナ３で読み取って画像データ化した後に、係る画像データ化された修正指示に従って修正処理を行える点で特徴的である。修正処理部２４は、差分処理部２４１と、レイヤー化処理部２４２と、領域分割処理部２４３と、編集処理部２４４と、履歴参照処理部２４５とを、主として備える。
【００５０】
差分処理部２４１は、修正指示が書き込まれた校正後のプルーフをイメージスキャナ３においてスキャンすることによって得られた画像データである修正指示データから、プルーフにおいてもともと表現されていた印刷物の内容（プルーフ出力用のデータによって表現される印刷像）を差し引いて、書き込まれた修正指示だけを画像データ（これを差分データと称する）として抽出する差分処理を担う。差分処理においては、修正指示データと、プルーフ出力用のデータ（ここではＲＩＰ展開データ）との間で、各画素ごとの色濃度値の差分演算が行われ、差分データが生成される。
【００５１】
レイヤー化処理部２４２は、差分処理部２４１によって得られた差分データと、プルーフ出力の対象となったデータ、つまりは、修正処理の対象となる印刷データとが、それぞれレイヤーをなすレイヤー化データを生成するレイヤー化処理を担う。レイヤー化データにおいては、差分データによって形成されるレイヤーを差分レイヤーと称し、印刷データによって形成されるレイヤーを修正対象レイヤーと称することとする。
【００５２】
領域分割処理部２４３は、印刷物を格子状に分割した状態を、その印刷物を表現する修正対象レイヤー（実体は印刷データである）について仮想的に実現する領域分割処理を担う。なお、分割によって得られる各分割領域を、ブロックと称することとする。
【００５３】
編集処理部２４４は、オペレータが印刷データの内容を変更する編集処理を担う。係る編集処理が、本実施の形態において印刷データに対し施される修正処理の実質的な内容である。本実施の形態においては、特に、レイヤー化データの修正対象レイヤーに対する修正処理を、該レイヤー化データにおいてこれに重ね合わされている差分レイヤーに記述された修正指示に従って行う点で特徴的である。なお、新規に印刷データを作成することが可能であってもよく、この場合、編集処理部２４４は、印刷データ作成装置２と同様の機能を担うことになる。
【００５４】
修正対象レイヤーに対して何らかの修正処理がなされると、修正処理の内容を反映したテンポラリデータが生成される。テンポラリデータは、新たな修正処理がなされるたびに更新される。オペレータが操作部１１を介して、編集処理の内容を確定するための指示入力を行うと、その時点における最新のテンポラリデータが反映された修正済み印刷データが生成される。
【００５５】
また、修正処理がなされると、編集処理部２４４の作用により、修正履歴データが併せて生成される。修正履歴データには、何らかの修正処理がなされるたびに、その処理内容が追記される。その際には、修正処理がどのブロックに関連する処理であったかを示す関連ブロック情報が、修正処理内容と併せて記述される。
【００５６】
履歴参照処理部２４５は、修正処理が行われている場合に、印刷物のどの箇所にどのような修正がなされたのかを、ブロック単位で参照可能とする履歴参照処理を担う。
【００５７】
＜プルーフの出力＞
次に、本実施の形態に係る印刷システム１００においてなされるプルーフの出力について説明する。図３は、プルーフの出力の過程で用いられるデータと、その受け渡しの流れを示す図である。
【００５８】
上述したように、印刷データ作成装置２において印刷データが作成されると、例えばネットワークＮを介して、校正前印刷データＤ１として印刷データ編集装置１へと受け渡される。図３に示すように、校正前印刷データＤ１は、印刷データ編集装置１のデータ入力部２１１の作用により取得され、記憶部１３やＲＡＭ１６ｃなどに記憶される。
【００５９】
その後、オペレータにより操作部１１を通じてＲＩＰ処理の実行指示がなされると、ＲＩＰ処理部２２が、校正前印刷データＤ１をラスタライズして、出力装置４における出力に適した解像度のラスターデータであるＲＩＰ展開データＤ２を生成する。ＲＩＰ展開データＤ２は、記憶部１３やＲＡＭ１６ｃなどに記憶される。オペレータにより操作部１１を通じてプルーフ出力の実行指示がなされると、ＲＩＰ展開データＤ２は、データ出力部２３１の作用により通信線ＣＬを通じて出力装置４に送信される。
【００６０】
出力装置４は、受け取ったＲＩＰ展開データＤ２に基づいて、プルーフの出力を実行する。出力装置４の動作は、出力装置制御部２３２によって制御される。出力されたプルーフは、校正者による校正作業に供されることとなる。
【００６１】
なお、出力装置４がＲＩＰ処理機能を備える場合は、ＲＩＰ処理部２２におけるＲＩＰ処理を行うことなく、出力装置４へ校正前印刷データＤ１を直接に送信する態様となる。係る場合、プルーフの出力に際しては、印刷データ編集装置１を経ることなく、印刷データ作成装置２から出力装置４へと直接に校正前印刷データＤ１が受け渡される態様であってもよい。ただし、後述する修正処理を行うためには、校正前印刷データＤ１は印刷データ編集装置１に与えられている必要がある。
【００６２】
プルーフを用いた校正作業においては、レイアウトされた文字、画像などの配置や体裁、色再現性などに誤りがないか、印刷データ作成時に意図したものと合致するか、などが校正者によって確認される。そして、必要に応じ、修正指示が校正者の手でプルーフ上に直接に記入される。修正指示は、所定の校正記号などを用い、通常は赤字で記入される。
【００６３】
＜修正処理＞
次に、本実施の形態に係る印刷データ編集装置１においてなされる、プルーフに記入された修正指示に基づく印刷データの修正処理について説明する。図４は、修正処理の流れを示す図である。図５は、修正処理の過程で用いられるデータと、その受け渡しの流れを示す図である。図６は、そのうちの一部のデータについて例示する図である。
【００６４】
まず、オペレータが修正指示が記入されたプルーフをイメージスキャナ３によってスキャンし、プルーフの画像データを修正指示データＤ３として取得する（ステップＳ１）。修正指示データＤ３は、記憶部１３やＲＡＭ１６ｃなどに記憶される。イメージスキャナ３の動作は、スキャナ制御部２１２によって制御される。図６（ａ）を校正前印刷データＤ１によって表現されるレイアウト像の一例とすると、修正指示データＤ３は、図６（ｂ）のように、修正指示を含んだ画像データとして得られる。図６（ｂ）においては、２つの修正指示Ｃ１、Ｃ２が与えられている場合を示している。修正指示Ｃ１は、背景（バック）の色を「青」色とすることを内容とする指示である。ただし、ここでは簡単のため、単に「青」色とする修正指示であるとするが、実際には、より厳密な色指定、例えばＣＭＹＫ表色系に基づく色指定がなされることが好ましい。いま、修正指示Ｃ１における色指定が、Ｃ：１００％、Ｍ：５０％、Ｙ０％、Ｋ：３０％であるとする。修正指示Ｃ２は、文字のサイズを「１８ｐｔ（ポイント）」に変更することを内容とする指示である。なお、修正指示データＤ３は、ビットマップ形式のデータとして取得されるが、プルーフを出力する際に用いたＲＩＰ展開データＤ２の解像度と同程度の解像度か、あるいはそれよりも高い解像度にて取得されるのが好ましい。
【００６５】
修正指示データＤ３が得られると、差分処理部２４１の作用により、修正指示データＤ３とＲＩＰ展開データＤ２との間で差分処理が実行され、差分データＤ４が抽出される（ステップＳ２）。図６（ｃ）は、差分データＤ４を例示する図である。差分データＤ４は記憶部１３やＲＡＭ１６ｃなどに記憶される。なお、差分処理においては、画素単位で差分演算が実行されるので、修正指示データＤ３とＲＩＰ展開データＤ２との解像度は同程度であることが好ましい。ただし、仮に両者の解像度が異なっていたとしても、一方のデータに解像度変換を行ったうえで差分処理を行えば、問題が生じない場合もある。
【００６６】
差分データＤ４が得られると、レイヤー化処理部２４２の作用により、校正前印刷データＤ１と差分データＤ４とを一のデータにおいてレイヤー化するレイヤー化処理が実行される（ステップＳ３）。レイヤー化処理によって、図６（ｄ）に示すように、差分データＤ４に由来する差分レイヤーＬ１と校正前印刷データＤ１に由来する修正対象レイヤーＬ２とがレイヤー構造をなすレイヤー化データＤ５が生成される。レイヤー化データＤ５は記憶部１３やＲＡＭ１６ｃなどに記憶される。レイヤー化処理においては、校正前印刷データＤ１における各オブジェクトの配置位置が、ビットマップ形式のデータである差分データＤ４を記述する座標系と関連付けられて記述される。レイヤー化処理がなされると、レイヤー化データＤ５に基づいて、図６（ｅ）に示すように両レイヤーが重ね合わさった像が視認可能とされる。すなわち、レイヤー化処理によって、プルーフにおいて所定の修正対象箇所に対し修正指示が書き込まれている状態と同じ状態が、表示部１２に表示される。なお、修正対象レイヤーＬ２をＲＩＰ展開データＤ２によって構成する態様であってもよいが、この場合はさらに、校正前印刷データＤ１における各オブジェクトの配置位置が、ビットマップ形式のデータであるＲＩＰ展開データＤ２を記述する座標系とあらかじめ関連付けられている必要がある。
【００６７】
なお、レイヤー化データＤ５と修正指示データＤ３とは、表示部１２上で視認する限りにおいては、略同一の像を表すように見受けられる（図６（ｂ）（ｅ）参照）が、レイヤー構造をなすか否かで相違する。また、表示部１２におけるレイヤー化データＤ５の表示態様としては、図６（ｅ）に示すような両レイヤーが重ね合わされた状態と、差分レイヤーＬ１のみが表示される状態と、修正対象レイヤーＬ２のみが表示される態様とが、容易に切替可能とされる態様が好ましい。
【００６８】
レイヤー化処理がなされると、次に、領域分割処理部２４３の作用により、修正対象レイヤーＬ２（校正前印刷データＤ１）に対して、領域分割処理がなされる。これにより、修正対象レイヤーＬ２が仮想的に格子状に分割され、複数のブロックが生成される（ステップＳ４）。領域分割処理部２４３は、所定のダイアログを表示部１２に表示させることによって、領域分割を行うにあたっての縦方向および横方向のブロックの個数Ｍ，Ｎの入力を、オペレータに対して要求する（Ｍ、Ｎは自然数）。
【００６９】
オペレータが操作部１１を通じて任意の自然数値を個数Ｍ、Ｎの値として入力すると、領域分割処理部２４３はこれに応答し、入力された値に従って、領域分割データＤ６を生成する。領域分割データＤ６は、修正対象レイヤーＬ２におけるブロックを定義するデータである。領域分割データＤ６は記憶部１３やＲＡＭ１６ｃなどに記憶される。図７は、修正対象レイヤーＬ２を対象として、領域分割処理を行う場合の例を示す図である。図７においては、左上端から数えて、縦方向にｍ番目、横方向にｎ番目のブロックのブロック数を（ｍ，ｎ）と記述するものとし、さらに、Ｍ＝１２、Ｎ＝１０とした場合を例示する。領域分割処理は、図７に示すような複数本の分割ラインｄｌを仮想的に設定する処理であるといえる。
【００７０】
個数Ｍ、Ｎの値は、ブロックの大きさを規定する数となるが、本実施の形態においては、ブロックが修正の履歴を参照する際の参照単位となることから、個数Ｍ、Ｎの値は、かかる履歴の参照に際して実用的なブロックが生成されるように、印刷物の内容に応じて設定することが好ましい。例えば、細かい文字や図形などが多く、修正指示が微小な領域を単位としてなされていることが多い場合には、Ｍ、Ｎに比較的大きな値を設定して、ブロックの大きさを小さくすることが好ましいが、反対に、大きな文字や図形などが多い場合には、Ｍ、Ｎに比較的小さな値を設定して大きなブロックを得るようにしてもよい。
【００７１】
なお、図７においては説明の都合上、縦横の分割ラインｄｌを図示しているが、実際の修正対象レイヤーＬ２に係る分割ラインｄｌが書き込まれるわけではなく、これに代わり、修正対象レイヤーＬ２が規定される座標平面においてこのような分割ラインｄｌが通る位置が、ブロック数（ｍ，ｎ）の値と関連付けて領域分割データＤ６に記述される。すなわち、修正対象レイヤーＬ２と領域分割データＤ６とを参照することで、ブロック数（ｍ，ｎ）のブロックが、修正対象レイヤーＬ２においてどの位置に相当するかが判別される。
【００７２】
ちなみに、領域分割処理を、差分データの生成に先立って、校正前印刷データＤ１を対象に行い、同様に領域分割データＤ６を得る態様であってもよい。
【００７３】
レイヤー化データＤ５と領域分割データＤ６とが得られると、修正対象レイヤーＬ２の内容をプルーフに記述された修正指示に従って修正する、オペレータによる修正処理が可能となる（ステップＳ５）。修正処理は、編集処理部２４４の作用により編集可能とされた修正対象レイヤーＬ２に対して、オペレータが修正指示に基づく修正作業（編集作業）を行うことで実現される。係る作業は、印刷データ作成装置２によるレイアウト時に行われる作業と基本的には同様で、表示部１２に表示されたレイヤー化データＤ５が表現するレイアウト像において、オブジェクトの配置や削除、変更などをＧＵＩを介して行い、修正対象レイヤーＬ２に係る記述内容を適宜に編集することで実現される。何らかの修正処理がなされると、これを反映した修正対象レイヤーＬ２の状態を表現するテンポラリデータＤ７が生成される。テンポラリデータＤ７は、ＲＡＭ１６ｃに記憶され、修正がなされるたびに更新される。すなわち、修正処理の間においては、テンポラリデータＤ７が、修正対象レイヤーＬ２を表現することとなる。
【００７４】
ただし、本実施の形態においては、図６（ｅ）に示すように修正対象レイヤーＬ２の上に、修正指示が画像データ化された差分レイヤーＬ１が重ね合わされており、これにより、プルーフにおいて所定の修正対象箇所に関する修正指示が書き込まれた状態が、表示部１２において同様に表現されている。そこで、オペレータは、その修正指示を表示部１２において確認しつつ、修正対象レイヤーＬ２の対象箇所について、その修正指示に従った修正指示を行うことができる。これにより、校正結果に基づく修正を、確実に行うことができる。図８は、図６（ｅ）に示すレイヤー化データＤ５に対して、修正指示Ｃ１、Ｃ２に基づく修正指示を行った後のテンポラリデータＤ７が表現するレイアウト像を示す図である。なお、実際のレイアウト像において係る図８に示すような分割ラインｄｌが書き込まれるわけではないことは、上述の場合と同様である。
【００７５】
さらに、本実施の形態においては、何らかの修正処理を行うと、編集処理部２４４の作用によって、修正履歴データＤ８が生成される。図９は、修正履歴データＤ８のデータ構成単位となる単位修正データＤ８Ｓを例示的に説明するための図である。単位修正データＤ８Ｓは、例えば、図９（ａ）に示すように、個々の修正処理を識別するための修正ＩＤが記述される修正ＩＤ領域Ｒ１と、修正の対象となるオブジェクトの描画情報が記述されるオブジェクト描画情報領域Ｒ２と、その修正が関連するブロックを示す関連ブロック情報が記述される関連ブロック情報領域Ｒ３と、その修正が結果的に採用されるか否かを示す採否フラグが記述される採否フラグ領域Ｒ４とから構成される。
【００７６】
ここで、オブジェクト描画情報としては、例えば、その修正処理がオブジェクトを新たに追加する処理であるのか、あるいは既に配置されているオブジェクトを削除する処理のかを示す処理情報や、対象となるオブジェクトが文字なのか、画像なのか、あるいは線画なのかなどを識別する種別情報や、対象となるオブジェクトを規定する情報、例えばオブジェクトが図形ならば形状や大きさ、色などを規定する情報であり、文字ならばフォントの種類やサイズ、さらには記述される文章などを規定する情報である記述情報などが該当する。また、関連ブロック情報領域Ｒ３には、個々の修正処理の記述情報の、特にサイズに係る情報に基づいて、修正に係るオブジェクトが配置される（あるいは配置されていた）ブロックのブロック数が記述される。採否フラグ領域Ｒ４には、それぞれの修正処理を反映させる場合には「１」が、取り消す場合には「０」が記述される。
【００７７】
修正対象レイヤーＬ２に対してオペレータによって何らかの修正処理がなされるたびに、修正履歴データＤ８には、その修正処理の内容が、単位修正データＤ８Ｓとして逐次に記述される。すなわち、修正履歴データＤ８は、単位修正データＤ８Ｓの集合した形式のデータとして記述される。図９（ｂ）は、修正対象レイヤーＬ２に対して、修正指示Ｃ１、Ｃ２（図６参照）に従った修正を行った結果として、図８に示すレイアウト像の状態が実現された場合の修正履歴データＤ８を例示する図である。図９（ｂ）によれば、係る修正は、３つの修正処理がなされることで実現されていることになる。修正処理は、修正ＩＤの小さいものから順になされているので、図９（ｂ）に例示する修正履歴データＤ８においては、塗りつぶしオブジェクトＯＢＪ１（図８）の追加処理が、修正ＩＤが「１」の単位修正データＤ８１に係る修正処理であったことになる。これは、背景（バック）の色を青とする旨の修正指示Ｃ１に従ってなされた修正処理に相当する。なお、オブジェクト描画情報領域Ｒ２には、実際には、オブジェクトが記述されるデータ形式やオブジェクトの定義に従った具体的な内容が記述されるが、煩雑を避けるため、ここではその記述を省略する。
【００７８】
続けて、修正ＩＤが「２」、「３」の単位修正データＤ８２、Ｄ８３に係る修正処理がなされているが、これらは、文字のサイズを１８ｐｔ（ポイント）に変更する旨の修正指示Ｃ２に従ってなされた修正処理であり、もともと配置されている文字オブジェクトＯＢＪ０（図７）をいったん削除（単位修正データＤ８２に係る修正処理）した上で、１８ｐｔの文字オブジェクトＯＢＪ２（図８）を配置する（単位修正データＤ８３に係る修正処理）ことで、係る修正指示Ｃ２に沿った修正が実現された場合が示されている。なお、関連ブロック情報領域Ｒ３には、それぞれの修正処理が関係するブロックのブロック数（ｍ，ｎ）が記述されているが、単位修正データＤ８２に係る修正処理のように、オブジェクトを削除する場合には、削除前にオブジェクトが配置されていたブロックのブロック数（ｍ，ｎ）が記述されることになる。
【００７９】
あるいは、もともとの文字オブジェクトＯＢＪ０に対して直接にフォントサイズを変更する態様の修正処理がなされてもよく、係る場合は、その修正処理の内容が単位修正データとして記述された修正履歴データが生成されることになる。
【００８０】
図１０は、図８に示す、上記の修正処理がなされた後のテンポラリデータＤ７に基づくレイヤー化データＤ５’の表示部１２におけるレイアウト像を例示する図である。図１０に示すように、レイヤー化データＤ５’においては差分レイヤーＬ１と修正対象レイヤーＬ２（この場合はテンポラリデータＤ７によって表現される）とが重ね合わされているので、修正指示Ｃ１、Ｃ２に従って修正処理がなされていること、および、処理がなされていない修正指示が残っていないことが、オペレータによって視認されることになる。
【００８１】
オペレータは、修正指示に従って全ての修正処理が正しくなされたものと判断すると、操作部１１を通じて所定の操作指示を行い、修正処理の内容が確定させる。具体的には、最新のテンポラリデータＤ７の内容が修正済み印刷データＤ９とされる。この修正済み印刷データＤ９は、記憶部１３やＲＡＭ１６ｃなどに記憶され、所定の指示に応じて本印刷用のＲＩＰ処理に供される（ステップＳ６）。
【００８２】
以上、説明したように、本実施の形態においては、プルーフに記入されていた修正指示とプルーフ出力用の印刷データが表現する印刷像とがレイヤー化データＤ５において重ね合わされており、オペレータはこれらを表示部１２において視認しつつ、印刷データに対し校正結果に基づく修正処理を行えるので、修正漏れを防止することができる。すなわち、本実施の形態に係る印刷データ編集装置によれば、校正時の修正指示を確実に反映させて、校正後の（再校の）印刷データの作成を行うことができる。
【００８３】
＜修正履歴の参照と再修正＞
本実施の形態に係る印刷データ編集装置１においては、上述の態様に加えて、履歴参照処理部２４５の作用によって、ある箇所についてどのような修正がなされたのかを、すなわち印刷像における任意の場所についての修正履歴を、容易に確認することができる点で特徴的である。以下、図１１に示すように、レイヤー化データＤ５’が表現するレイアウト像（図１０に示した像と同じ）におけるポイントＰ１、Ｐ２を対象として、修正履歴を参照する場合について説明する。
【００８４】
図４のステップＳ５における修正処理の途中、修正対象レイヤーＬ２（テンポラリデータＤ７）のレイアウト像が表示されている状態で、オペレータが操作部１１を操作することによって（例えば、図示しないマウスでクリックするなどしてポイントアウトする等の態様により）上述のポイントＰ１あるいはＰ２を指定すると、履歴参照処理部２４５は、これらのポイントが、どのブロックに該当するかを判断する。ポイントＰ１の場合は（４，４）なるブロック数のブロックに該当し、ポイントＰ２の場合は（９，６）なるブロック数のブロックに該当することになる。
【００８５】
該当するブロックが特定されると、修正履歴データＤ８においてそのブロック数が関連ブロック情報領域Ｒ３に含まれる修正処理が特定され（図９参照）、その結果に基づいて、修正履歴表示がなされる。図１２は、修正履歴表示の一例として、表示部１２に表示される修正履歴表示ウィンドウＷ１およびＷ２を例示する図である。
【００８６】
ポイントＰ１と対応するブロック数（４，４）のブロックについては、単位修正データＤ８１に係る修正処理、すなわち、背景（バック）の色を青とする内容の修正処理のみがなされている（図９波線部分）ので、オペレータによってポイントＰ１が指定されると、これに応答して、図１２（ａ）に示すような修正履歴表示ウィンドウＷ１が表示部１２に表示されることになる。具体的には、修正履歴表示ウィンドウＷ１において履歴項目Ｉ１１として示すように、塗りつぶしオブジェクトＯＢＪ１が追加されたことが、オブジェクトの内容とともに、所定のフォーマットに従って具体的に表示される。また、係る場合、引き続いてなされている単位修正データＤ８２、Ｄ８３に係る修正処理については、ブロック数（４，４）のブロックには関係しないことから、履歴としては表示されない。
【００８７】
一方、ポイントＰ２と対応するブロック数（９，６）のブロックについては、単位修正データＤ８２に係る修正処理および単位修正データＤ８３に係る修正処理がなされている（図９二重波線部分）ので、オペレータによってポイントＰ２が指定されると、これに応答して、図１２（ｂ）に示すような修正履歴表示ウィンドウＷ２が表示部１２に表示されることになる。具体的には、修正履歴表示ウィンドウＷ２においては、履歴項目Ｉ２１に示すように文字オブジェクトＯＢＪ０が削除されたこと、および、係る削除の後に、履歴項目Ｉ２２に示すように文字オブジェクトＯＢＪ２が追加されたことが、オブジェクトの内容とともに、所定のフォーマットに従って表示される。また、係る場合、先んじてなされている単位修正データＤ８１に係る修正処理については、ブロック数（９，６）のブロックには関係しないことから、履歴としては表示されない。
【００８８】
このように、本実施の形態においては、履歴参照処理部２４５の作用によって、修正対象レイヤーＬ２に基づくレイアウト像が表示されている状態で、該レイアウト像の任意の箇所を指し示すことにより、その箇所（を含むブロック）についてなされた修正処理のみの履歴を、修正処理がなされた順に表示部１２に表示させることができる。なお、履歴常時の態様は、上述の場合に限定されず、例えば、ある位置が修正履歴を参照するポイントとして指定されると、該ポイントが含まれるブロックの近傍に、そのブロックに関する修正履歴が、いわゆる「吹き出し」のような表示形式で表示されるなどの態様であってもよい。
【００８９】
ここで、対比のため、修正指示に沿った修正処理がなされず、誤った修正処理がなされてしまった場合について説明する。図１３は、その例として、修正指示Ｃ２に基づく修正処理は正しくなされているものの、修正指示Ｃ１に基づく修正処理として、図８に示された正しい塗りつぶしオブジェクトＯＢＪ１ではなく、誤った塗りつぶしオブジェクトＯＢＪ１’が追加された場合のレイヤー化データＤ５１に基づくレイアウト像を示す図である。図１３において、塗りつぶしオブジェクトＯＢＪ１’は「青緑」色のオブジェクトであるとする。ただし、ここでは簡単のため、「青緑」色として説明するが、実際には、より厳密な色指定、例えばＣＭＹＫ表色系に基づく色指定がなされることが好ましい。いま、塗りつぶしオブジェクトＯＢＪ１’においては、「青緑」色としてＣ：１００％、Ｍ：５０％、Ｙ５０％、Ｋ：３０％なる色指定がなされているとする。また、図１４は、この場合に、上述の場合と同様に生成される修正履歴データＤ８’を示す図であり、図１５は、図１１と同一のポイントＰ１についての修正履歴表示ウィンドウＷ１’を示す図である。
【００９０】
オペレータが、修正処理の内容を確認すべくポイントＰ１を指定すると、修正履歴表示ウィンドウＷ１’が表示されて、ポイントＰ１においてなされている修正処理が、単位修正データＤ８１’に関係する背景を青緑色（Ｃ：１００％、Ｍ：５０％、Ｙ５０％、Ｋ：３０％）とする塗りつぶしオブジェクトの追加処理であることが、オペレータに示されることになる。差分レイヤーＬ１には修正指示Ｃ１の内容が記述されているので、オペレータは、差分レイヤーＬ１と修正履歴表示ウィンドウＷ１’の記述内容を比較対照することで、ポイントＰ１の近傍でなされている修正処理が、修正指示Ｃ１に沿ったものであるか否かを容易に確認することができる。いま、実際には、修正指示Ｃ１が要求している背景を青色（Ｃ：１００％、Ｍ：５０％、Ｙ０％、Ｋ：３０％）とする修正処理ではなく、Ｙ成分の色濃度が相違する色による塗りつぶしオブジェクトの配置であるので、このことがオペレータによって認識されると、これを正しく修正し直す再修正が施されることになる。
【００９１】
係る再修正には、いくつかの方法があるが、例えば、いったん追加した塗りつぶしオブジェクトＯＢＪ１’を削除して正しい塗りつぶしオブジェクトＯＢＪ１を配置することによって再修正を図る場合、つまりは、塗りつぶしオブジェクトＯＢＪ１’の追加を取り止めて塗りつぶしオブジェクトＯＢＪ１を配置することによって再修正する場合を考える。係る場合、操作部１１を介して修正履歴表示ウィンドウＷ１’の履歴項目Ｉ１１’を選択し、所定の操作によってこの修正を取りやめた上で、新たな修正処理を実行することになる。
【００９２】
この場合の修正履歴データＤ８''は、図１６のようになる。すなわち、単位修正データＤ８１’（図１４）に係る修正処理によるオブジェクトの追加を取り消すことになるので、操作部１１を通じたオペレータによる削除指示がなされると、編集処理部２４４の作用により、単位修正データＤ８１’の採否フラグ領域Ｒ４には、それまでの「１」（図１４参照）に代わり「０」が記入される。そして、オペレータによる操作部１１を介した追加指示によって新たに塗りつぶしオブジェクトＯＢＪ１を追加する処理が、編集処理部２４４の作用に基づいてなされる際に、修正ＩＤとして「４」が付された新たな単位修正データＤ８４’が追加されることになる。修正指示Ｃ１に従った修正処理が行われる場合、係る単位修正データＤ８４’の記述内容は、単位修正データＤ８１の内容と同じものとなる。図１７は、単位修正データＤ８１’の採否フラグ領域Ｒ４に「０」が記述された際のレイヤー化データＤ５２によるレイアウト像を示す図である。図１７に示すように、修正指示Ｃ１に基づく修正処理の後になされた修正指示Ｃ２に基づく修正処理の内容には一切無関係に、必要な箇所だけの再修正が行える。
【００９３】
また、図１２（ｂ）に示されたポイントＰ２（図１１参照）についての修正履歴表示ウィンドウＷ２に係る修正処理、すなわち修正指示Ｃ２に基づく修正処理のうち、履歴項目Ｉ２１に基づく修正処理、すなわち単位修正データＤ８２に基づく修正処理を取り消すよう、操作部１１を介して指示がなされたような場合は、それ以降になされた修正処理をそのまま有効であるとすると、修正処理後の状態に整合がとれないため、ポイントＰ２が属するブロック数（９，６）のブロックが関係する修正処理であって、単位修正データＤ８２に基づく修正処理よりも後にされた修正処理、換言すれば大きな修正ＩＤが付与された修正処理についても、併せて取りやめられることになる。これは、修正履歴データＤ８の関連ブロック情報領域Ｒ３において、ブロック数（９，６）が記述されている単位修正データを抽出し、該当する単位修正データの採否フラグを「０」とすることで実現される。図１８は、係る場合のレイヤー化データＤ５３に基づくレイアウト像を示す図である。
【００９４】
なお、操作部１１を介して所定の操作指示を行うことで、いったん取り消した修正を再度有効なものとすることも可能である。この場合、対応する単位修正データにおける採否フラグ領域Ｒ４には再度「１」と記述されることになる。
【００９５】
すなわち、本実施の形態においては、修正履歴データＤ８によって個々の修正処理が管理されるとともに、任意の箇所における修正履歴が参照可能とされているので、不具合があると判断された場所においてなされた修正処理だけを取りやめたり、再度修正し直したりすることが、容易に行える。そして、その際には、係る再修正に関係がない箇所の修正内容は修正処理の先後に関係なく維持されることになる。
【００９６】
以上より、本実施の形態においては、ブロック単位の修正履歴の確認と再修正に加え、個々の修正処理を単位として、修正の採否の選択が可能となる。これにより、クライアントによって指示された修正が全て実行されていること、および、修正の必要のない箇所が誤って修正されていないことが、確実に確認できる。よって、校正時の修正指示を確実にかつ忠実に反映させて、校正後の（再校の）印刷データの作成を行うことができる。
【図面の簡単な説明】
【００９７】
【図１】本発明の実施の形態に係る印刷データ編集装置１を含む印刷システム１００の構成を例示的に示す模式図である。
【図２】印刷データ編集装置１の制御部１６において実現される機能を説明するための図である。
【図３】プルーフの出力の過程で用いられるデータと、その受け渡しの流れを示す図である。
【図４】修正処理の流れを示す図である。
【図５】修正処理の過程で用いられるデータと、その受け渡しの流れを示す図である。
【図６】修正処理の過程で用いられるデータの一部について例示する図である。
【図７】修正対象レイヤーＬ２を対象として、領域分割処理を行う場合の例を示す図である。
【図８】レイヤー化データＤ５に対して、修正指示Ｃ１、Ｃ２に基づく修正指示を行った後のテンポラリデータＤ７が表現するレイアウト像を示す図である。
【図９】修正履歴データＤ８のデータ構成単位となる単位修正データＤ８Ｓを例示的に説明するための図である。
【図１０】図８に示す修正処理後のレイヤー化データＤ５’のレイアウト像を例示する図である。
【図１１】修正履歴を参照するポイントＰ１、Ｐ２を示す図である。
【図１２】修正履歴表示の一例として、表示部１２に表示される修正履歴表示ウィンドウＷ１およびＷ２を例示する図である。
【図１３】修正指示Ｃ１に基づく修正処理として、誤った塗りつぶしオブジェクトＯＢＪ１’が追加された場合のレイヤー化データＤ５１に基づくレイアウト像を示す図である。
【図１４】誤った塗りつぶしオブジェクトＯＢＪ１’が追加された場合の修正履歴データＤ８’を示す図である。
【図１５】誤った塗りつぶしオブジェクトＯＢＪ１’が追加された場合の、図１１と同一のポイントＰ１についての修正履歴表示ウィンドウＷ１’を示す図である。
【図１６】再修正の場合の修正履歴データＤ８''を示す図である。
【図１７】単位修正データＤ８１’の採否フラグ領域Ｒ４に「０」が記述された際のレイヤー化データＤ５２によるレイアウト像を示す図である。
【図１８】履歴項目Ｉ２１に基づく修正処理が取り消された場合のレイヤー化データＤ５３に基づくレイアウト像を示す図である。
【符号の説明】
【００９８】
１  印刷データ編集装置
２  印刷データ作成装置
３  イメージスキャナ
４  出力装置
１００  印刷システム
Ｃ１、Ｃ２  （データ化された）修正指示
ＯＢＪ０、ＯＢＪ２  文字オブジェクト
ＯＢＪ１、ＯＢＪ１’  塗りつぶしオブジェクト
Ｐ１、Ｐ２  （修正履歴の参照）ポイント
Ｗ１、Ｗ２  修正履歴表示ウィンドウ
ｄｌ  （ブロックの）分割ライン
【図１】
2006065486.tif 000003
【図２】
2006065486.tif 000004
【図３】
2006065486.tif 000005
【図４】
2006065486.tif 000006
【図５】
2006065486.tif 000007
【図６】
2006065486.tif 000008
【図７】
2006065486.tif 000009
【図８】
2006065486.tif 000010
【図９】
2006065486.tif 000011
【図１０】
2006065486.tif 000012
【図１１】
2006065486.tif 000013
【図１２】
2006065486.tif 000014
【図１３】
2006065486.tif 000015
【図１４】
2006065486.tif 000016
【図１５】
2006065486.tif 000017
【図１６】
2006065486.tif 000018
【図１７】
2006065486.tif 000019
【図１８】
2006065486.tif 000020